【手続補正書】
【提出日】平成29年1月25日(2017.1.25)
【手続補正１】
【補正対象書類名】特許請求の範囲
【補正対象項目名】全文
【補正方法】変更
【補正の内容】
【特許請求の範囲】
【請求項１】
相互に交差する２つの方向である第１方向と第２方向とに沿ってマトリックス状に並べられた複数の画素上に配置されるタッチパネルであって、
透明誘電体層と、
前記透明誘電体層の表面において、前記第１方向に沿って延び、前記第２方向に沿って並ぶ複数の第１電極と、
前記透明誘電体層の裏面において、前記第２方向に沿って延び、前記第１方向に沿って並ぶ複数の第２電極と、を備え、
前記第１電極は、前記第１方向および前記第２方向と交差する方向であって、前記第１方向とのなす角度が３０°以上４０°以下である方向に沿って延び、相互に隣り合う前記第１電極の間の領域で途切れる複数の第１主電極線と、相互に異なる複数の前記第１主電極線を各々繋ぐ複数の第１副電極線とからなり、
前記第２電極は、前記第１方向および前記第２方向と交差する方向であって、前記第２方向とのなす角度が３０°以上４０°以下である方向に沿って延び、相互に隣り合う前記第２電極の間の領域で途切れる複数の第２主電極線と、相互に異なる複数の前記第２主電極線を各々繋ぐ複数の第２副電極線とからなり、
前記透明誘電体層の表面から見て、前記第１主電極線が前記第２主電極線に交差する
タッチパネル。
【請求項２】
前記第１主電極線と前記第１副電極線とのなす角度は９０°とは異なる角度であり、前記第２主電極線と前記第２副電極線とのなす角度は９０°とは異なる角度である
請求項１に記載のタッチパネル。
【請求項３】
相互に交差する２つの方向である第１方向と第２方向とに沿ってマトリックス状に並べられた複数の画素上に配置されるタッチパネルであって、
透明誘電体層と、
前記透明誘電体層の表面において、前記第１方向に沿って延び、前記第２方向に沿って並ぶ複数の第１電極と、
前記透明誘電体層の裏面において、前記第２方向に沿って延び、前記第１方向に沿って並ぶ複数の第２電極と、を備え、
前記第１電極は、前記第１方向および前記第２方向と交差する方向に沿って延び、相互
に隣り合う前記第１電極の間の領域で途切れる複数の第１主電極線と、相互に異なる複数の前記第１主電極線を各々繋ぐ複数の第１副電極線とからなり、
前記第２電極は、前記第１方向および前記第２方向と交差する方向に沿って延び、相互に隣り合う前記第２電極の間の領域で途切れる複数の第２主電極線と、相互に異なる複数の前記第２主電極線を各々繋ぐ複数の第２副電極線とからなり、
前記透明誘電体層の表面から見て、前記第１主電極線が前記第２主電極線に交差し、前記第１電極と前記第２電極とは、複数の四角形が連続して並べられた格子状のパターンを形成しており、前記四角形は、正方形以外の矩形またはひし形である
タッチパネル。
【請求項４】
相互に交差する２つの方向である第１方向と第２方向とに沿ってマトリックス状に並べられた複数の画素上に配置されるタッチパネルであって、
透明誘電体層と、
前記透明誘電体層の表面において、前記第１方向に沿って延び、前記第２方向に沿って並ぶ複数の第１電極と、
前記透明誘電体層の裏面において、前記第２方向に沿って延び、前記第１方向に沿って並ぶ複数の第２電極と、を備え、
前記第１電極は、前記第１方向および前記第２方向と交差する方向に沿って延び、相互に隣り合う前記第１電極の間の領域で途切れる複数の第１主電極線と、相互に異なる複数の前記第１主電極線を各々繋ぐ複数の第１副電極線とからなり、
前記第２電極は、前記第１方向および前記第２方向と交差する方向に沿って延び、相互に隣り合う前記第２電極の間の領域で途切れる複数の第２主電極線と、相互に異なる複数の前記第２主電極線を各々繋ぐ複数の第２副電極線とからなり、
前記透明誘電体層の表面から見て、
前記第１主電極線が前記第２主電極線に交差し、
前記複数の第１副電極線には、前記第２主電極線の途切れている箇所とは異なる箇所に位置する部分を有する電極線が含まれ、
前記複数の第２副電極線には、前記第１主電極線の途切れている箇所とは異なる箇所に位置する部分を有する電極線が含まれる
タッチパネル。
【請求項５】
相互に交差する２つの方向である第１方向と第２方向とに沿ってマトリックス状に並べられた複数の画素上に配置されるタッチパネルであって、
透明誘電体層と、
前記透明誘電体層の表面において、前記第１方向に沿って延び、前記第２方向に沿って並ぶ複数の第１電極と、
前記透明誘電体層の裏面において、前記第２方向に沿って延び、前記第１方向に沿って並ぶ複数の第２電極と、を備え、
前記第１電極は、前記第１方向および前記第２方向と交差する方向に沿って延び、相互に隣り合う前記第１電極の間の領域で途切れる複数の第１主電極線と、相互に異なる複数の前記第１主電極線を各々繋ぐ複数の第１副電極線とからなり、
前記第２電極は、前記第１方向および前記第２方向と交差する方向に沿って延び、相互に隣り合う前記第２電極の間の領域で途切れる複数の第２主電極線と、相互に異なる複数の前記第２主電極線を各々繋ぐ複数の第２副電極線とからなり、
前記透明誘電体層の表面から見て、前記第１主電極線が前記第２主電極線に交差し、
前記第１電極における前記第２方向の端部にて前記複数の第１主電極線の端部を結ぶ仮想線は、九十九折り状に屈曲し、
前記第２電極における前記第１方向の端部にて前記複数の第２主電極線の端部を結ぶ仮想線は、九十九折り状に屈曲する
タッチパネル。
【請求項６】
相互に交差する２つの方向である第１方向と第２方向とに沿ってマトリックス状に画素が配列された表示パネルと、前記表示パネルに重ねられたタッチパネルと、を備える表示装置であって、
前記タッチパネルは、
透明誘電体層と、
前記透明誘電体層の表面において、前記第１方向に沿って延び、前記第２方向に沿って並ぶ複数の第１電極と、
前記透明誘電体層の裏面において、前記第２方向に沿って延び、前記第１方向に沿って並ぶ複数の第２電極と、を備え、
前記第１電極は、前記第１方向および前記第２方向と交差する方向であって、前記第１方向とのなす角度が３０°以上４０°以下である方向に沿って延び、相互に隣り合う前記第１電極の間の領域で途切れる複数の第１主電極線と、相互に異なる複数の前記第１主電極線を各々繋ぐ複数の第１副電極線とからなり、
前記第２電極は、前記第１方向および前記第２方向と交差する方向であって、前記第２方向とのなす角度が３０°以上４０°以下である方向に沿って延び、相互に隣り合う前記第２電極の間の領域で途切れる複数の第２主電極線と、相互に異なる複数の前記第２主電極線を各々繋ぐ複数の第２副電極線とからなり、
前記透明誘電体層の表面から見て、前記第１主電極線が前記第２主電極線に交差する
表示装置。
【請求項７】
前記第１主電極線と前記第１副電極線とのなす角度は９０°とは異なる角度であり、前記第２主電極線と前記第２副電極線とのなす角度は９０°とは異なる角度である
請求項６に記載の表示装置。
【請求項８】
相互に交差する２つの方向である第１方向と第２方向とに沿ってマトリックス状に画素が配列された表示パネルと、前記表示パネルに重ねられたタッチパネルと、を備える表示装置であって、
前記タッチパネルは、
透明誘電体層と、
前記透明誘電体層の表面において、前記第１方向に沿って延び、前記第２方向に沿って並ぶ複数の第１電極と、
前記透明誘電体層の裏面において、前記第２方向に沿って延び、前記第１方向に沿って並ぶ複数の第２電極と、を備え、
前記第１電極は、前記第１方向および前記第２方向と交差する方向に沿って延び、相互に隣り合う前記第１電極の間の領域で途切れる複数の第１主電極線と、相互に異なる複数の前記第１主電極線を各々繋ぐ複数の第１副電極線とからなり、
前記第２電極は、前記第１方向および前記第２方向と交差する方向に沿って延び、相互に隣り合う前記第２電極の間の領域で途切れる複数の第２主電極線と、相互に異なる複数の前記第２主電極線を各々繋ぐ複数の第２副電極線とからなり、
前記透明誘電体層の表面から見て、前記第１主電極線が前記第２主電極線に交差し、前記第１電極と前記第２電極とは、複数の四角形が連続して並べられた格子状のパターンを形成しており、前記四角形は、正方形以外の矩形またはひし形である
表示装置。
【請求項９】
相互に交差する２つの方向である第１方向と第２方向とに沿ってマトリックス状に画素が配列された表示パネルと、前記表示パネルに重ねられたタッチパネルと、を備える表示装置であって、
前記タッチパネルは、
透明誘電体層と、
前記透明誘電体層の表面において、前記第１方向に沿って延び、前記第２方向に沿って並ぶ複数の第１電極と、
前記透明誘電体層の裏面において、前記第２方向に沿って延び、前記第１方向に沿って並ぶ複数の第２電極と、を備え、
前記第１電極は、前記第１方向および前記第２方向と交差する方向に沿って延び、相互に隣り合う前記第１電極の間の領域で途切れる複数の第１主電極線と、相互に異なる複数の前記第１主電極線を各々繋ぐ複数の第１副電極線とからなり、
前記第２電極は、前記第１方向および前記第２方向と交差する方向に沿って延び、相互に隣り合う前記第２電極の間の領域で途切れる複数の第２主電極線と、相互に異なる複数の前記第２主電極線を各々繋ぐ複数の第２副電極線とからなり、
前記透明誘電体層の表面から見て、
前記第１主電極線が前記第２主電極線に交差し、
前記複数の第１副電極線には、前記第２主電極線の途切れている箇所とは異なる箇所に位置する部分を有する電極線が含まれ、
前記複数の第２副電極線には、前記第１主電極線の途切れている箇所とは異なる箇所に位置する部分を有する電極線が含まれる
表示装置。
【請求項１０】
相互に交差する２つの方向である第１方向と第２方向とに沿ってマトリックス状に画素が配列された表示パネルと、前記表示パネルに重ねられたタッチパネルと、を備える表示装置であって、
前記タッチパネルは、
透明誘電体層と、
前記透明誘電体層の表面において、前記第１方向に沿って延び、前記第２方向に沿って並ぶ複数の第１電極と、
前記透明誘電体層の裏面において、前記第２方向に沿って延び、前記第１方向に沿って並ぶ複数の第２電極と、を備え、
前記第１電極は、前記第１方向および前記第２方向と交差する方向に沿って延び、相互に隣り合う前記第１電極の間の領域で途切れる複数の第１主電極線と、相互に異なる複数の前記第１主電極線を各々繋ぐ複数の第１副電極線とからなり、
前記第２電極は、前記第１方向および前記第２方向と交差する方向に沿って延び、相互に隣り合う前記第２電極の間の領域で途切れる複数の第２主電極線と、相互に異なる複数の前記第２主電極線を各々繋ぐ複数の第２副電極線とからなり、
前記透明誘電体層の表面から見て、前記第１主電極線が前記第２主電極線に交差し、
前記第１電極における前記第２方向の端部にて前記複数の第１主電極線の端部を結ぶ仮想線は、九十九折り状に屈曲し、
前記第２電極における前記第１方向の端部にて前記複数の第２主電極線の端部を結ぶ仮想線は、九十九折り状に屈曲する
表示装置。
【手続補正２】
【補正対象書類名】明細書
【補正対象項目名】０００７
【補正方法】変更
【補正の内容】
【０００７】
本開示の技術におけるタッチパネルの一態様は、相互に交差する２つの方向である第１方向と第２方向とに沿って並べられた複数の画素上に配置されるタッチパネルであって、透明誘電体層と、前記透明誘電体層の表面において、前記第１方向に沿って延び、前記第２方向に沿って並ぶ複数の第１電極と、前記透明誘電体層の裏面において、前記第２方向に沿って延び、前記第１方向に沿って並ぶ複数の第２電極と、を備える。ここで、前記第
１電極は、前記第１方向および前記第２方向と交差する方向であって、前記第１方向とのなす角度が３０°以上４０°以下である方向に沿って延び、相互に隣り合う前記第１電極の間の領域で途切れる複数の第１主電極線と、相互に異なる複数の前記第１主電極線を繋ぐ複数の第１副電極線とからなる。また、前記第２電極は、前記第１方向および前記第２方向と交差する方向であって、前記第２方向とのなす角度が３０°以上４０°以下である方向に沿って延び、相互に隣り合う前記第２電極の間の領域で途切れる複数の第２主電極線と、相互に異なる複数の前記第２主電極線を繋ぐ複数の第２副電極線とからなる。前記透明誘電体層の表面から見て、前記第１主電極線が前記第２主電極線に交差する。
本開示の技術におけるタッチパネルの一態様は、相互に交差する２つの方向である第１方向と第２方向とに沿ってマトリックス状に並べられた複数の画素上に配置されるタッチパネルであって、透明誘電体層と、前記透明誘電体層の表面において、前記第１方向に沿って延び、前記第２方向に沿って並ぶ複数の第１電極と、前記透明誘電体層の裏面において、前記第２方向に沿って延び、前記第１方向に沿って並ぶ複数の第２電極と、を備え、前記第１電極は、前記第１方向および前記第２方向と交差する方向に沿って延び、相互に隣り合う前記第１電極の間の領域で途切れる複数の第１主電極線と、相互に異なる複数の前記第１主電極線を各々繋ぐ複数の第１副電極線とからなり、前記第２電極は、前記第１方向および前記第２方向と交差する方向に沿って延び、相互に隣り合う前記第２電極の間の領域で途切れる複数の第２主電極線と、相互に異なる複数の前記第２主電極線を各々繋ぐ複数の第２副電極線とからなる。
そして、前記透明誘電体層の表面から見て、前記第１主電極線が前記第２主電極線に交差し、前記第１電極と前記第２電極とは、複数の四角形が連続して並べられた格子状のパターンを形成しており、前記四角形は、正方形以外の矩形またはひし形である。
あるいは、前記透明誘電体層の表面から見て、前記第１主電極線が前記第２主電極線に交差し、前記複数の第１副電極線には、前記第２主電極線の途切れている箇所とは異なる箇所に位置する部分を有する電極線が含まれ、前記複数の第２副電極線には、前記第１主電極線の途切れている箇所とは異なる箇所に位置する部分を有する電極線が含まれる。
あるいは、前記透明誘電体層の表面から見て、前記第１主電極線が前記第２主電極線に交差し、前記第１電極における前記第２方向の端部にて前記複数の第１主電極線の端部を結ぶ仮想線は、九十九折り状に屈曲し、前記第２電極における前記第１方向の端部にて前記複数の第２主電極線の端部を結ぶ仮想線は、九十九折り状に屈曲する。
【手続補正３】
【補正対象書類名】明細書
【補正対象項目名】０００８
【補正方法】変更
【補正の内容】
【０００８】
本開示の技術における表示装置の一態様は、相互に交差する２つの方向である第１方向と第２方向とに沿ってマトリックス状に画素が配列された表示パネルと、前記表示パネルに重ねられたタッチパネルと、を備える表示装置である。前記タッチパネルは、透明誘電体層と、前記透明誘電体層の表面において、前記第１方向に沿って延び、前記第２方向に沿って並ぶ複数の第１電極と、前記透明誘電体層の裏面において、前記第２方向に沿って延び、前記第１方向に沿って並ぶ複数の第２電極と、を備える。ここで、前記第１電極は、前記第１方向および前記第２方向と交差する方向であって、前記第１方向とのなす角度が３０°以上４０°以下である方向に沿って延び、相互に隣り合う前記第１電極の間の領域で途切れる複数の第１主電極線と、相互に異なる前記複数の第１主電極線間を繋ぐ複数の第１副電極線とからなる。また、前記第２電極は、前記第１方向および前記第２方向と交差する方向であって、前記第２方向とのなす角度が３０°以上４０°以下である方向に沿って延び、相互に隣り合う前記第２電極の間の領域で途切れる複数の第２主電極線と、相互に異なる前記複数の第２主電極線間を繋ぐ複数の第２副電極線とからなる。前記透明誘電体層の表面から見て、前記第１主電極線が前記第２主電極線に交差する。
本開示の技術における表示装置の一態様は、相互に交差する２つの方向である第１方向と第２方向とに沿ってマトリックス状に画素が配列された表示パネルと、前記表示パネルに重ねられたタッチパネルと、を備える表示装置であって、前記タッチパネルは、透明誘電体層と、前記透明誘電体層の表面において、前記第１方向に沿って延び、前記第２方向に沿って並ぶ複数の第１電極と、前記透明誘電体層の裏面において、前記第２方向に沿って延び、前記第１方向に沿って並ぶ複数の第２電極と、を備え、前記第１電極は、前記第１方向および前記第２方向と交差する方向に沿って延び、相互に隣り合う前記第１電極の間の領域で途切れる複数の第１主電極線と、相互に異なる複数の前記第１主電極線を各々繋ぐ複数の第１副電極線とからなり、前記第２電極は、前記第１方向および前記第２方向と交差する方向に沿って延び、相互に隣り合う前記第２電極の間の領域で途切れる複数の第２主電極線と、相互に異なる複数の前記第２主電極線を各々繋ぐ複数の第２副電極線とからなる。
そして、前記透明誘電体層の表面から見て、前記第１主電極線が前記第２主電極線に交差し、前記第１電極と前記第２電極とは、複数の四角形が連続して並べられた格子状のパターンを形成しており、前記四角形は、正方形以外の矩形またはひし形である。
あるいは、前記透明誘電体層の表面から見て、前記第１主電極線が前記第２主電極線に交差し、前記複数の第１副電極線には、前記第２主電極線の途切れている箇所とは異なる箇所に位置する部分を有する電極線が含まれ、前記複数の第２副電極線には、前記第１主電極線の途切れている箇所とは異なる箇所に位置する部分を有する電極線が含まれる。
あるいは、前記透明誘電体層の表面から見て、前記第１主電極線が前記第２主電極線に交差し、前記第１電極における前記第２方向の端部にて前記複数の第１主電極線の端部を結ぶ仮想線は、九十九折り状に屈曲し、前記第２電極における前記第１方向の端部にて前記複数の第２主電極線の端部を結ぶ仮想線は、九十九折り状に屈曲する。
【手続補正４】
【補正対象書類名】明細書
【補正対象項目名】００１０
【補正方法】変更
【補正の内容】
【００１０】
本開示の技術におけるタッチパネルおよび表示装置の他の態様では、前記第１主電極線と前記第１副電極線とのなす角度は９０°とは異なる角度であり、前記第２主電極線と前記第２副電極線とのなす角度は９０°とは異なる角度である。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】